(57)【要約】【課題】  簡単な構成で且つ装置が大型化することもなく画像の視認性が高められた画像表示装置を提供する。【解決手段】  液晶表示パネル１０１と、バックライトプリズム１０２＿１およびランプ光源１０２＿２からなるバックライト部１０２との間に、電圧ＶＢが印加されるか否かに応じて、液晶表示パネル１０１側から入射した光Ａを液晶表示パネル１０１に向けて反射する反射モードと、バックライト部１０２からの光を透過して液晶表示パネル１０１に照射させる透過モードとに切り替わる反射／透過切替パネル１０３を配置した。【選択図】  図４
2007052238.tif 000002
【特許請求の範囲】
【請求項１】
画像を表示する画像表示パネルと、
前記画像表示パネルを背面から照明するバックライト部と、
前記画像表示パネルと前記バックライト部との間に配置され、制御に応じて、前記画像表示パネル側から入射した光を該画像表示パネルに向けて反射する反射モードと、前記バックライト部からの光を透過して前記画像表示パネルに照射させる透過モードとに切り替わる反射／透過切替パネルとを備えたことを特徴とする画像表示装置。
【請求項２】
前記反射／透過切替パネルが、液晶材料を利用したものであることを特徴とする請求項１記載の画像表示装置。
【請求項３】
前記画像表示パネルが、液晶表示パネルであることを特徴とする請求項１記載の画像表示装置。
【請求項４】
前記バックライト部を構成する光源がＬＥＤであることを特徴とする請求項１記載の画像表示装置。
【請求項５】
前記バックライト部を構成する光源がＥＬ素子であることを特徴とする請求項１記載の画像表示装置。
【請求項６】
外光の明るさを検知する外光検知センサと、
前記反射／透過切替パネルを、前記外光検知センサによる検知結果に応じて、外光が明るいときには反射モードに切り替えるとともに外光が暗いときには透過モードに切り替える切替制御部とを備えたことを特徴とする請求項１記載の画像表示装置。
【請求項７】
前記反射／透過切替パネルが、前記反射モードにあるときの反射率の調整が自在なものであって、
前記切替制御部が、前記反射／透過切替パネルを、前記外光検知センサによる検知結果に応じて、前記反射モードと前記透過モードとに切り替えるとともに、反射モードにあるときの反射率を調整するものであることを特徴とする請求項６記載の画像表示装置。
【請求項８】
この画像表示装置が、電子機器に組み込まれたものであることを特徴とする請求項１記載の画像表示装置。
【発明の詳細な説明】
【技術分野】
【０００１】
本発明は、画像を表示する画像表示パネルを備えた画像表示装置に関する。
【背景技術】
【０００２】
デジタルカメラや携帯電話等の電子機器には、液晶表示パネルに代表される画像表示パネルを備えた画像表示装置が好適に組み込まれている。このような画像表示装置において、その画像表示パネルに表示される画像の視認性を高めるための技術が提案されている。例えば、特許文献１には、液晶表示パネルに対して上方から外光を採り入れるとともに下方に設けられたランプでバックライト照射することにより、その液晶表示パネルに表示される画像の視認性を高めた技術が提案されている。
【０００３】
また、特許文献２には、液晶表示パネルの表示面を透過型表示領域と反射型表示領域とに分割し、周囲の明るさが所定値未満の場合は透過型領域に画像を表示するとともに、周囲の明るさが所定値以上の場合は反射型表示領域に画像を表示する技術が提案されている。
【特許文献１】特開平１０−１４２５９９号公報
【特許文献２】特開２００４−２２８７２２号公報
【発明の開示】
【発明が解決しようとする課題】
【０００４】
しかし、特許文献１に提案された技術は、液晶表示パネルに対して上方から外光を採り入れる構成と下方にバックライト照射するためのランプを設ける構成との双方の構成が必要とされる。従って、構成が複雑であるという問題がある。
【０００５】
また、特許文献２に提案された技術は、液晶表示パネルの表示面を透過型表示領域と反射型表示領域とに分割し、周囲の明るさに応じていずれか一方の表示領域に選択的に画像を表示するものである。即ち、液晶表示パネルの表示面の半分にのみ画像が表示される。このため、視認性を高めるには、比較的大きなサイズの液晶表示パネルが必要であり、従って装置が大型化するという問題がある。
【０００６】
本発明は、上記事情に鑑み、簡単な構成で且つ装置が大型化することもなく画像の視認性が高められた画像表示装置を提供することを目的とする。
【課題を解決するための手段】
【０００７】
上記目的を達成する本発明の画像表示装置は、
画像を表示する画像表示パネルと、
上記画像表示パネルを背面から照明するバックライト部と、
上記画像表示パネルと上記バックライト部との間に配置され、制御に応じて、上記画像表示パネル側から入射した光をその画像表示パネルに向けて反射する反射モードと、上記バックライト部からの光を透過して上記画像表示パネルに照射させる透過モードとに切り替わる反射／透過切替パネルとを備えたことを特徴とする。
【０００８】
本発明の画像表示装置は、画像表示パネルとバックライト部との間に、制御に応じて、上記画像表示パネル側から入射した光をその画像表示パネルに向けて反射する反射モードと、上記バックライト部からの光を透過して上記画像表示パネルに照射させる透過モードとに切り替わる反射／透過切替パネルが配置されてなる構成である。このため、屋外等であって周囲が明るい場合は、反射／透過切替パネルを反射モードに切り替えることにより画像表示パネルに画像を明瞭に表示させることができる。一方、屋内等であって周囲が暗い場合は反射／透過切替パネルを透過モードに切り替えるとともにバックライト部からの光を画像表示パネルに照射することにより、やはり画像表示パネルに画像を明瞭に表示させることができる。従って、特許文献１に提案された、液晶表示パネルに対して上方から外光を採り入れるとともに下方に設けられたランプでバックライト照射する技術や、特許文献２に提案された、液晶表示パネルの表示面を透過型表示領域と反射型表示領域とに二分割する技術と比較し、簡単な構成で且つ装置が大型化することもなく画像の視認性を高めることができる。
【０００９】
ここで、上記反射／透過切替パネルが、液晶材料を利用したものであることが好ましい。
【００１０】
このようにすると、反射／透過切替パネルに電圧を印加するか否かに応じて、その反射／透過切替パネルの液晶材料の分子の配向を変化することができ、従って反射／透過切替パネルを反射モードと透過モードとに簡単に切り替えることができる。
【００１１】
また、上記画像表示パネルが、液晶表示パネルであることも好ましい態様である。
【００１２】
このようにすると、低消費電力化および小型化が図られた画像表示装置を提供することができる。
【００１３】
さらに、上記バックライト部を構成する光源は、ＬＥＤであってもよいし、あるいは、ＥＬ素子であってもよい。
【００１４】
また、本発明の画像表示装置が、
外光の明るさを検知する外光検知センサと、
上記反射／透過切替パネルを、上記外光検知センサによる検知結果に応じて、外光が明るいときには反射モードに切り替えるとともに外光が暗いときには透過モードに切り替える切替制御部とを備えたものであることも好ましい。
【００１５】
このようにすると、反射／透過切替パネルを、外光の明るさに応じて自動的に反射モードと透過モードとに切り替えることができる。
【００１６】
さらに、上記反射／透過切替パネルが、上記反射モードにあるときの反射率の調整が自在なものであって、
上記切替制御部が、上記反射／透過切替パネルを、上記外光検知センサによる検知結果に応じて、上記反射モードと上記透過モードとに切り替えるとともに、反射モードにあるときの反射率を調整するものであることも好ましい。
【００１７】
同じ外光であっても晴れている場合と曇っている場合とでは外光の明るさが異なる。そこで、反射モードにあるときの反射率を外光の明るさに応じて調整すると、画像の視認性を一層高めることができる。
【００１８】
また、この画像表示装置が、電子機器に組み込まれたものであることも好ましい。
【００１９】
このようにすると、簡単な構成で且つ装置が大型化することもなく画像の視認性が高められた電子機器を提供することができる。ここで、電子機器には、デジタルカメラ、携帯電話、パーソナルコンピュータ、カーナビゲーション装置等がある。
【発明の効果】
【００２０】
本発明によれば、簡単な構成で且つ装置が大型化することもなく画像の視認性が高められた画像表示装置を提供することができる。
【発明を実施するための最良の形態】
【００２１】
以下、本発明の実施形態について説明する。
【００２２】
図１は、本発明の画像表示装置の第１実施形態が組み込まれたデジタルカメラを前面斜め上から見た外観斜視図、図２は、図１のデジタルカメラを背面斜め上から見た外観斜視図である。
【００２３】
図１に示すように、このデジタルカメラ１の前面中央部には、撮影レンズ１１が備えられている。また、このデジタルカメラ１の前面上部には、光学式ファインダ対物窓１２および補助光発光部１３が備えられている。さらに、このデジタルカメラ１の上面には、シャッタボタン１４およびスライド式の電源スイッチ１５が備えられている。
【００２４】
さらに、図２に示すように、このデジタルカメラ１の背面には、光学式ファインダ接眼窓１６と、メニュースイッチ１７と、実行／画面切換スイッチ１８と、詳細は後述する画像表示装置１００とが備えられている。
【００２５】
図３は、図１に示すデジタルカメラの回路構成を示すブロック図である。
【００２６】
図３に示すデジタルカメラ１には、前述した撮影レンズ１１および補助光発光部１３が備えられている。また、このデジタルカメラ１には、シャッタユニット２１と、撮像素子（ＣＣＤ）２２と、アナログ信号処理部２３と、このデジタルカメラ１の動作を総括的に制御するＣＰＵ２４と、駆動回路２５と、Ａ／Ｄ（アナログ／デジタル）部２６とが備えられている。駆動回路２５には、撮影レンズ１１，シャッタユニット２１を駆動するためのモータやモータドライバ、および補助光発光部１３，撮像素子２２を駆動するためのタイミング回路等が備えられている。
【００２７】
撮影レンズ１１およびシャッタユニット２１を経由してきた被写体光は、撮像素子２２に入射される。撮像素子２２は、入射された被写体光を電気信号であるアナログの画像信号に変換して、アナログ信号処理部２３に出力する。
【００２８】
アナログ信号処理部２３は、撮像素子２２から出力されたアナログ画像信号に対して雑音低減処理等を施し、その処理等が施されたアナログ画像信号をＡ／Ｄ部２６に出力する。Ａ／Ｄ部２６は、そのアナログ画像信号にＡ／Ｄ（アナログ／デジタル）変換処理を行なって、デジタルの画像信号を出力する。
【００２９】
また、デジタルカメラ１には、デジタル信号処理部２７と、テンポラリメモリ２８と、圧縮伸長部２９と、内蔵メモリ（またはメモリカード）３０とが備えられている。Ａ／Ｄ部２６でＡ／Ｄ変換処理されてデジタルに変換されたデジタル画像信号は、デジタル信号処理部２７に入力される。デジタル信号処理部２７は、入力されたデジタル画像信号に所定のデジタル信号処理を施して今回の撮影シーンの被写体画像を表わす画像データを完成させて、テンポラリメモリ２８に一時的に格納する。テンポラリメモリ２８に格納されたデータは、圧縮伸長部２９で圧縮されて内蔵メモリ（またはメモリカード）３０に記録される。尚、撮影モードによっては、圧縮の過程を省いて内蔵メモリ３０に直接記録してもよい。また、テンポラリメモリ２８に格納されたデータは画像表示装置１００に読み出され、これにより画像表示装置１００に被写体の画像が表示される。
【００３０】
さらに、デジタルカメラ１には、前述したメニュースイッチ１７および実行／画面切換スイッチ１８からなる操作スイッチ部３１と、シャッタボタン１４とが備えられている。写真撮影にあたっては、操作スイッチ部３１を操作して所望の撮影状態に設定してシャッタボタン１４を押下する。次に、本発明の画像表示装置の第１実施形態である画像表示装置１００について、図３および図４，図５を参照して説明する。
【００３１】
図４は、図３に示す画像表示装置を前面斜め上から見た外観斜視図、図５は、図４に示す画像表示装置の断面図である。
【００３２】
この画像表示装置１００には、図３、図４、および図５に示すように、画像を表示する液晶表示パネル１０１（本発明にいう画像表示パネルの一例に相当）が備えられている。また、この画像表示装置１００には、液晶表示パネル１０１を背面から照明するバックライト部１０２が備えられている。このバックライト部１０２は、図４および図５に示すように、バックライトプリズム１０２＿１および円筒状のランプ光源１０２＿２から構成されている。
【００３３】
さらに、この画像表示装置１００には、液晶表示パネル１０１とバックライト部１０２との間に配置された反射／透過切替パネル１０３が備えられている。この反射／透過切替パネル１０３は液晶材料を利用したものであり、この反射／透過切替パネル１０３には電圧ＶＢが印加される。反射／透過切替パネル１０３は、電圧ＶＢが印加されるか否かに応じて、液晶表示パネル１０１側から入射した太陽光Ａ等の外光を液晶表示パネル１０１に向けて反射する反射モードと、バックライト部１０２からのバックライト光を透過して液晶表示パネル１０１に照射させる透過モードとに切り替わるパネルである。
【００３４】
また、画像表示装置１００には、図３に示すように、外光の明るさを検知する外光検知センサ１０４と、反射／透過切替パネル１０３を、外光検知センサ１０４による検知結果に応じて、外光が明るいときには反射モードに切り替えるとともに外光が暗いときには透過モードに切り替える切替制御部１０５が備えられている。さらに、この画像表示装置１００には、図４に示すように、この画像表示装置１００をデジタルカメラ１の回路基板に接続するための接続ケーブル１０６も備えられている。ここで、反射／透過切替パネル１０３における反射モードと透過モードについて説明する。
【００３５】
図６は、反射／透過切替パネルにおける反射モードと透過モードを説明するための図である。
【００３６】
図６（ａ）には、反射モードに切り替えられた状態の反射／透過切替パネル１０３が示されている。この反射／透過切替パネル１０３には、透明電極１０３ａと、液晶材料１０３ｂが備えられている。ここでは、切替制御部１０５に備えられたスイッチ１０５ａがオンされており、反射／透過切替パネル１０３の透明電極１０３ａには電圧ＶＢが印加されている。ここで、液晶材料１０３ｂの分子は、ほぼ楕円体の形状をしており、電圧ＶＢが印加されている状態では楕円体の長軸が透明電極１０３ａと平行もしくは斜めになるように配列が変化する。このため、外光である太陽光Ａが反射する。
【００３７】
一方、図６（ｂ）には、透過モードに切り替えられた状態の反射／透過切替パネル１０３が示されている。ここでは、切替制御部１０５に備えられたスイッチ１０５ａがオフされており、反射／透過切替パネル１０３の透明電極１０３ａには電圧ＶＢが印加されていない状態にある。この状態では液晶材料１０３ｂの分子の楕円体の長軸が透明電極１０３ａと直交するように配列が変化する。このため、バックライト部１０２からのバックライト光Ｂが液晶材料１０３ｂを透過する。
【００３８】
第１実施形態の画像表示装置１００は、液晶表示パネル１０１とバックライト部１０２との間に、電圧ＶＢが印加されるか否かに応じて、液晶表示パネル１０１側から入射した光Ａをその液晶表示パネル１０１に向けて反射する反射モードと、バックライト部１０２からの光を透過して液晶表示パネル１０１に照射させる透過モードとに切り替わる反射／透過切替パネル１０３が配置されてなる構成である。このため、屋外等であって周囲が明るい場合は、反射／透過切替パネル１０３を反射モードに切り替えることにより液晶表示パネル１０１に画像を明瞭に表示させることができる。一方、屋内等であって周囲が暗い場合は反射／透過切替パネル１０３を透過モードに切り替えるとともにバックライト部１０２からの光を液晶表示パネル１０１に照射することにより、やはり液晶表示パネル１０１に画像を明瞭に表示させることができる。従って、特許文献１に提案された、液晶表示パネルに対して上方から外光を採り入れるとともに下方に設けられたランプでバックライト照射する技術や、特許文献２に提案された、液晶表示パネルの表示面を透過型表示領域と反射型表示領域とに分割する技術と比較し、簡単な構成で且つこの画像表示装置１００が組み込まれたデジタルカメラ１が大型化することもなく画像の視認性を高めることができる。
【００３９】
また、この画像表示装置１００には、外光の明るさを検知する外光検知センサ１０４と、反射／透過切替パネル１０３を、外光検知センサ１０４による検知結果に応じて、外光が明るいときには反射モードに切り替えるとともに外光が暗いときには透過モードに切り替える切替制御部１０５が備えられているため、反射／透過切替パネル１０３を、外光の明るさに応じて自動的に反射モードと透過モードに切り替えることができる。
【００４０】
さらに、反射／透過切替パネル１０３は、反射モードにあるときの反射率の調整が自在なものである。また、切替制御部１０４は、反射／透過切替パネル１０３を、外光検知センサ１０４による検知結果に応じて、反射モードと透過モードとに切り替えるとともに、反射モードにあるときの反射率を調整するものである。このため、例えば晴れている場合と曇っている場合とでは異なる外光の明るさに応じて、反射モードにおける反射率を自動的に調整することができる。従って、画像の視認性を一層高めることができる。
【００４１】
図７は、図４に示す画像表示装置とは異なる画像表示装置を前面斜め上から見た外観斜視図である。
【００４２】
尚、図４に示す画像表示装置１００の構成要素と同じ構成要素には同一の符号を付し、異なる点について説明する。
【００４３】
図７に示す画像表示装置２００は、図４に示す画像表示装置１００と比較し、バックライト部１０２がバックライト部２０２に置き換えられている点が異なっている。このバックライト部２０２は、バックライトプリズム１０２＿１および複数のＬＥＤ２０２＿１，…，２０２＿ｎから構成されている。これら複数のＬＥＤ２０２＿１，…，２０２＿ｎからの光で、反射／透過切替パネル１０３を介して液晶表示パネル１０１を照射してもよい。
【００４４】
図８は、図４，図７に示す画像表示装置とは異なる画像表示装置を前面斜め上から見た外観斜視図である。
【００４５】
尚、図４に示す画像表示装置１００の構成要素と同じ構成要素には同一の符号を付し、異なる点について説明する。
【００４６】
図８に示す画像表示装置３００は、図４に示す画像表示装置１００と比較し、バックライト部１０２が白色光を発光する白色ＥＬ（エレクトロ・ルミネセンス）素子３０２に置き換えられている点が異なっている。この白色ＥＬ素子３０２には、透明基板上に透明電極を介して有機発光層が形成されており、さらに有機発光層の上に反射電極が形成されている。ここで、透明電極と反射電極の間に電界を印加すると、有機発光層内の蛍光体が発光し、その発光光が反射／透過切替パネル１０３に向けて出射される。このような白色ＥＬ素子３０２からの光で、反射／透過切替パネル１０３を介して液晶表示パネル１０１を照射してもよい。
【００４７】
図９、図１０は、本発明の画像表示装置の第２実施形態が組み込まれた携帯電話の、それぞれ表面および裏面を示す外観斜視図である。
【００４８】
図９および図１０に示す携帯電話２は、上部２０１０と下部２０２０とからなる折り畳み式の携帯電話である。
【００４９】
上部２０１０には、図９に示すように、本発明の画像表示装置の第２実施形態である画像表示装置２１００と、スピーカからの音声を放つための送話口２０１２と、アンテナ２０１３とが備えられている。また、上部２０１０には、図１０に示すように、撮影レンズ２０１４が備えられている。
【００５０】
一方、下部２０２０には、図９に示すように、各種の操作ボタン２０２１＿１，２０２１＿２からなる操作部２０２１と、話者の声をマイクロホンに伝えるための受話口２０２２が設けられている。
【００５１】
図１１は、図９、図１０に示す携帯電話の内部の概略構成を示すブロック図である。
【００５２】
この携帯電話２には、撮影レンズ２０１４と、ＣＣＤ固体撮像素子２０３１が備えられている。
【００５３】
また、この携帯電話２には、ＣＣＤ固体撮像素子２０３１で得られた画像信号を入力して、利得調整、Ａ／Ｄ変換、ホワイトバランス補正、ガンマ補正等の各種画像処理を行なう画像処理部２０３２が備えられている。
【００５４】
さらに、この携帯電話２には、図９に示す画像表示装置２１００が備えられている。この画像表示装置２１００は、前述した画像表示装置１００と比較し、全体に小型であるものの構成要素および機能は同じであるため、説明は省略する。
【００５５】
また、この携帯電話２には、記録部２０３３が備えられており、画像処理部２０３２における、さらに圧縮処理の行なわれた画像信号が送られてその記録部２０３３に配備された画像メモリ（図示せず）に画像信号が記録される。
【００５６】
さらに、この携帯電話２には、図９にも示す、多数の操作ボタンが配列されそれらの操作ボタンの操作の検出が行なわれる操作部２０２１、および制御部２０３４が備えられており、この操作部２０２１における操作ボタンの操作状態に基づいて、画像処理部２０３２、記録部２０３３、画像表示装置２１００、および後述する通信部２０３５の動作を制御部２０３４で制御する。
【００５７】
この図１１に示すマイクロホン２０３６は、図９に示す受話口２０２２の内側の位置に配備されていて話者の声をピックアップするものであり、スピーカ２０３７は、図９に示す送話口２０１２の内側に配備されていて、電話の相手から送られてきた音声を発するものである。
【００５８】
通信部２０３５は、それらマイクロホン２０３６とスピーカ２０３７、さらに図９、図１０にも示すアンテナ２０１３に接続され、制御部２０３４の制御を受けて、電話のための通信を担当している。この通信部２０３５はいわゆる電子メールの送受信も担当するが、本発明の特徴とは直接な関係がないため電話や電子メールの機能についてはこれ以上の詳細説明は省略する。
【００５９】
この携帯電話２には、第１実施形態の画像表示装置１００と同じ構成要素および機能を有する画像表示装置２１００が備えられている。このため、この携帯電話２では、屋外等であって周囲が明るい場合は、反射モードに切り替えることにより画像を明瞭に表示させることができる。一方、屋内等であって周囲が暗い場合は透過モードに切り替えるとともにバックライト部からの光を照射することにより、やはり画像を明瞭に表示させることができる。
【００６０】
図１２は、本発明の画像表示装置の第３実施形態が組み込まれたノート型のパーソナルコンピュータの外観斜視図である。
【００６１】
このパーソナルコンピュータ３は、本体部３０１０と、本発明の画像表示装置の第３実施形態である画像表示装置３１００が備えられている。この画像表示装置３１００は、前述した画像表示装置１００と比較し、全体に大型であるものの構成要素および機能は同じであるため、説明は省略する。本体部３０１０には、キーボード３０３０と、タッチパッド３０４０が備えられている。また、本体部３０１０には、詳細は後述するが、ＣＰＵ（中央処理装置）、主メモリ（ランダムアクセスメモリ）、ハードディスク、ＵＳＢ通信装置等が内蔵されている。さらに、この本体部３０１０は、外観上、ＣＤ−ＲＯＭ等が装填されるＣＤ−ＲＯＭ装填口３０１１と、フレキシブルディスクが装填されるフレキシブルディスク装填口３０１２を有しており、それらの内部には、それらの装填口３０１１，３０１２から装填されたＣＤ−ＲＯＭやフレキシブルディスクをドライブしてアクセスするＣＤ−ＲＯＭドライブやフレキシブルディスクドライブが内蔵されている。また、この本体部３０１０は、ＵＳＢ（Ｕｎｉｖｅｒｓａｌ  Ｓｅｒｉａｌ  Ｂｕｓ）規格に準拠したＵＳＢコネクタが接続されるＵＳＢ接続部３０１３を有する。
【００６２】
図１３は、図１２に示すパーソナルコンピュータの概略回路ブロックを示す図である。
【００６３】
図１３に示すパーソナルコンピュータ３には、図１２に示す本体部３０１０を構成する、各種プログラムを実行するＣＰＵ３００１、ハードディスク装置３００３に格納されたプログラムが読み出されＣＰＵ３００１での実行のために展開される主メモリ３００２、各種プログラムやデータ等が保存されたハードディスク装置３００３、フレキシブルディスク３００４＿１が装填され、その装填されたフレキシブルディスク３００４＿１をアクセスするフレキシブルディスクドライブ３００４、ＣＤ−ＲＯＭ３００５＿１をアクセスするＣＤ−ＲＯＭドライブ３００５、デジタルカメラ等の機器と接続され、その機器からの画像データを取り込むＵＳＢ通信装置３００６、および前述した図１２に示す画像表示装置３１００，キーボード３０３０，タッチパッド３０４０が備えられている。これらはバス３０１５を介して相互に接続されている。
【００６４】
このパーソナルコンピュータ３には、第１実施形態の画像表示装置１００と同じ構成要素および機能を有する画像表示装置３１００が備えられている。このため、このパーソナルコンピュータ３では、屋外等であって周囲が明るい場合は、反射モードに切り替えることにより画像を明瞭に表示させることができる。一方、屋内等であって周囲が暗い場合は透過モードに切り替えるとともにバックライト部からの光を照射することにより、やはり画像を明瞭に表示させることができる。
【図面の簡単な説明】
【００６５】
【図１】本発明の第１実施形態の画像表示装置が組み込まれたデジタルカメラを前面斜め上から見た外観斜視図である。
【図２】図１のデジタルカメラを背面斜め上から見た外観斜視図である。
【図３】図１に示すデジタルカメラの回路構成を示すブロック図である。
【図４】図３に示す画像表示装置を前面斜め上から見た外観斜視図である。
【図５】図４に示す画像表示装置の断面図である。
【図６】反射／透過切替パネルにおける反射モードと透過モードを説明するための図である。
【図７】図４に示す画像表示装置とは異なる画像表示装置を前面斜め上から見た外観斜視図である。
【図８】図４，図７に示す画像表示装置とは異なる画像表示装置を前面斜め上から見た外観斜視図である。
【図９】本発明の画像表示装置の第２実施形態が組み込まれた携帯電話の表面を示す外観斜視図である。
【図１０】本発明の画像表示装置の第２実施形態が組み込まれた携帯電話の裏面を示す外観斜視図である。
【図１１】図９、図１０に示す携帯電話の内部の概略構成を示すブロック図である。
【図１２】本発明の画像表示装置の第３実施形態が組み込まれたノート型のパーソナルコンピュータの外観斜視図である。
【図１３】図１２に示すパーソナルコンピュータの概略回路ブロックを示す図である。
【符号の説明】
【００６６】
１  デジタルカメラ
２  携帯電話
３  パーソナルコンピュータ
１１，２０１４  撮影レンズ
１２  光学式ファインダ対物窓
１３  補助光発光部
１４  シャッタボタン
１５  電源スイッチ
１６  光学式ファインダ接眼窓
１７  メニュースイッチ
１８  実行／画面切換スイッチ
２１  シャッタユニット
２２  撮像素子（ＣＣＤ）
２３  アナログ信号処理部
２４  ＣＰＵ
２５  駆動回路
２６  Ａ／Ｄ（アナログ／デジタル）部
２７  デジタル信号処理部
２８  テンポラリメモリ
２９  圧縮伸長部
３０  内蔵メモリ（またはメモリカード）
３１  操作スイッチ部
１００，２００，３００，２１００，３１００  画像表示装置
１０１  液晶表示パネル
１０２、２０２  バックライト部
１０２＿１  バックライトプリズム
１０２＿２  ランプ光源
１０３  反射／透過切替パネル
１０３ａ  透明電極
１０３ｂ  液晶材料
１０４  外光検知センサ
１０５  切替制御部
１０５ａ  スイッチ
１０６  接続ケーブル
２０２＿１，…，２０２＿ｎ  ＬＥＤ
３０２  白色ＥＬ（エレクトロ・ルミネセンス）素子
２０１０  上部
２０１２  送話口
２０１３  アンテナ
２０２０  下部
２０２１  操作部
２０２１＿１，２０２１＿２  操作ボタン
２０２２  受話口
２０３１  ＣＣＤ固体撮像素子
２０３２  画像処理部
２０３３  記録部
２０３４  制御部
２０３５  通信部
２０３６  マイクロホン
２０３７  スピーカ
３００１  ＣＰＵ
３００２  主メモリ
３００３  ハードディスク装置
３００４  フレキシブルディスクドライブ
３００４＿１  フレキシブルディスク
３００５  ＣＤ−ＲＯＭドライブ
３００５＿１  ＣＤ−ＲＯＭ
３００６  ＵＳＢ通信装置
３０１０  本体部
３０１１  ＣＤ−ＲＯＭ装填口
３０１２  フレキシブルディスク装填口
３０１３  ＵＳＢ接続部
３０１５  バス
３０３０  キーボード
３０４０  タッチパッド
【図１】
2007052238.tif 000003
【図２】
2007052238.tif 000004
【図３】
2007052238.tif 000005
【図４】
2007052238.tif 000006
【図５】
2007052238.tif 000007
【図６】
2007052238.tif 000008
【図７】
2007052238.tif 000009
【図８】
2007052238.tif 000010
【図９】
2007052238.tif 000011
【図１０】
2007052238.tif 000012
【図１１】
2007052238.tif 000013
【図１２】
2007052238.tif 000014
【図１３】
2007052238.tif 000015